(57)【要約】      （修正有）【課題】スピナーベイトと称するルアーにおいて、水流抵抗によって回転する回転板体（ブレード）が回転しやすくなるスピナーベイトを提供する。【解決手段】ワイヤーにより形成されるロアアーム１およびアッパーアーム２と、ワイヤーにより形成される釣り糸を結合するためのラインアイ３と、ロアアームの先端に取り付けられ、後部にスカートを保持するための溝１３と釣り針１１を有するヘッド部４と、アッパーアームの先端に形成された略環状の連結環部５と、ボールベアリングスイベル６と、回転する回転板体であるブレード７と、連結環部５とボールベアリングスイベル６が連結されたスプリットリング８と、ボールベアリングスイベル６とブレード７が連結されたスプリットリング９と、連結環部５とスプリットリング８の可動領域を固定するための固定具１０を備える。【選択図】図１
0003217526.tif 000002
【実用新案登録請求の範囲】
【請求項１】
ワイヤーにより形成されるロアアームと、アッパーアームと、釣り糸を結合するためのラインアイと、前記ロアアームの先端に取り付けられ後部に釣り針を有するヘッド部と、前記アッパーアームの先端に、複数のスプリットリングと、ボールベアリングスイベルと、を介して連結されたブレードと、前記スプリットリングを固定するための固定具を備えることを特徴としたスピナーベイト。
【請求項２】
ワイヤーにより形成されるロアアームと、アッパーアームと、釣り糸を結合するためのラインアイと、前記ロアアームの先端に取り付けられ後部に釣り針を有するヘッド部と、前記アッパーアームから分岐している前部アームおよび後部アームと、前記前部アームおよび後部アームの先端に各々複数のスプリットリングと、ボールベアリングスイベルを介して連結された前側ブレードおよび後側ブレードと、前記スプリットリングを固定するための固定具を備えることを特徴としたスピナーベイト。
【請求項３】
ヘッド部分に錘を装着することが可能な取付具を備えることを特徴とした請求項１又は２に記載のスピナーベイト。
【考案の詳細な説明】
【技術分野】
【０００１】
本考案は、釣り用ルアーに属し、ワイヤーでＶ字型に形成されたアームの一方に金属ブレードが回転可能に連結され、もう一方のアームには、錘と釣り針を有するヘッド部を有するスピナーベイトに関するものである
【背景技術】
【０００２】
図６は、現在、広く普及しているスピナーベイト１００の代表的な構造の一例を示した図である。図６において、１０１は、ロアアーム、１０２は、アッパーアーム、１０３は、釣り糸を連結するためのラインアイ（結束部）、１０４は、前記ロアアーム１０１の先端に取り付けられ、後部に釣り針１０５を有するヘッド部、１０５は、釣り針、１０６は、スカート、を示す。アッパーアーム１０２の中間部には、前側ブレード１０７が、先端には、後側ブレード１０８が取り付けられている。また、後側ブレード１０８は、ボールベアリングスイベル１０９と、スプリットリング１１２を介して、アッパーアーム１０２の先端に形成された略環状の連結環部１１０と連結されているため、ボールベアリングスイベル１０９により、自転可能である。前側ブレード１０７は、半環状の連結材１１４を介して、アッパーアーム１０２に連結されているので、アッパーアーム１０２の周りで回転可能であるが、自転は不能である。１１３は、アッパーアーム１０２の軸方向における前側ブレード１０７の位置を規制する規制部材である。このように構成されたスピナーベイトの使用方法として、ラインアイ１０３に釣り糸を接続し、釣り人によって操作が行われ、水中を泳がすことで、前側ブレード１０７と、後側ブレード１０８は、水の抵抗や水流を受けて回転し、前記回転に伴う、スピナーベイト１００全体の振動や、前側ブレード１０７と、後側ブレード１０８の回転によって水中でフラッシング効果を発生させることで、肉食魚を食いつかせることを目的としている（特許文献１参照）。
【先行技術文献】
【特許文献】
【０００３】
【特許文献１】実用新案登録第３０９２３０９号
【特許文献２】実用新案登録第３０９２３０９号
【考案の概要】
【考案が解決しようとする課題】
【０００４】
図７の（Ａ）は広く一般に普及しているスピナーベイト１００のアッパーアーム１０２における後側ブレードの連結方法を拡大した図である、１０８から１１１は図７と同じである。図７の（Ｂ）は、１０８から１１１までが水の抵抗や水流によって一直線に並んだ状態を示す。図７において、後側ブレード１０８は、ボールベアリングスイベル１０９と、スプリットリング１１１とを介して、アッパーアーム１０２の先端に形成された略環状の連結環部１１０と連結されており、この連結部分において、それぞれの形状により、可動領域（あそび）が生じることは避けられない。すなわち、図７に示した連結方法を用いた場合、釣り人が竿をあおったり、引いたりといった操作や、リールを巻く動作によって、スピナーベイト１００を水中泳がす操作した際に、アッパーアーム１０２の先端に形成された略環状の連結環部１１０と、スプリットリング１１１と、ボールベアリングスイベル１０９と、スプリットリング１１１とが、水の抵抗や水流を受けた後側ブレード１０８の方向に、すべて一直線に並ぶまで後側ブレード１０８は、回転運動を開始しないという問題があった。上述したように、スプリットリング１１１と、ボールベアリングスイベル１０９と、スプリットリング１１１と、後側ブレード１０８には、それぞれの連結に可動領域があるため、前記一直線に並ぶまで、あるある程度の時間がかかり、これが素早い回転運動の立ち上がりを妨げる要因となっていた。
【０００５】
また、スピナーベイト１００をスピナーベイト１００の自重で沈めていく、フォーリングという釣法がある。前記釣法は、釣り人が竿をあおったり、引いたりといった操作や、リールを巻く動作によって、スピナーベイト１００を水中で泳がす操作と比較して、スピナーベイト１００の沈下に伴う水の抵抗のみでブレードが回転するため、特に沈下はじめに前記可動領域（あそび）のブレによって、前記一直線に並ぶまでに相当の時間を要したり、前記可動領域である、連結環部１１０と、スプリットリング１１１と、ボールベアリングスイベル１０９と、スプリットリング１１１との連結部分において、ひっかかりは生じた場合などは、着底までブレードが回転しないこともあるといった問題があった。
【０００６】
さらに、前記アッパーアーム２の先端である連結環部１１０と、スプリットリング１１１と、ボールベアリングスイベル１０９の連結部分に水中のごみや、藻の切れ端などが絡み、後側ブレード１０８の回転を妨げる要因となっていた。また、同様に半環状の連結材１１４にも水中のごみや、藻の切れ端などが絡み、前側ブレード１０７の回転を妨げる要因となっていた。
【０００７】
また、一般的に釣り針１０５を有するヘッド部１０４は、スピナーベイト１００のサイズや販売時に設定された重量でその質量が決まっており、釣り場の状況に応じてヘッド部１０４の質量を増加させることは不可能であった。
【課題を解決するための手段】
【０００８】
本考案の請求項１に関わるスピナーベイトは、ワイヤーにより形成されるロアアームと、アッパーアームと、釣り糸を結合するためのラインアイと、前記ロアアームの先端に取り付けられ、後部に釣り針を有するヘッド部と、前記アッパーアームの先端に、複数のスプリットリングと、ボールベアリングスイベルと、を介して連結されたブレードと、前記スプリットリングを固定するための固定具とで、構成されたものである。
【０００９】
本考案の請求項２に関わるスピナーベイトは、ワイヤーにより形成されるロアアームと、アッパーアームと、釣り糸を結合するためのラインアイと、前記ロアアームの先端に取り付けられ、後部に釣り針を有するヘッド部と、前記アッパーアームから分岐している前部アームと、前部アームの先端に、複数のスプリットリングと、ボールベアリングスイベルと、を介して連結されたブレードと、後部アームと、後部アームの先端に、複数のスプリットリングと、ボールベアリングスイベルと、を介して連結されたブレードと、前記前部アームの先端と、前部アームの先端に連結されたスプリットリングを固定するための固定具と、前記後部アームの先端と、後部アームの先端に連結されたスプリットリングを固定するための固定具とで、構成されたものである。
【００１０】
本考案の請求項３に関わるスピナーベイトは、請求項１から２に関わるスピナーベイトにおける、ヘッド部分に錘を装着することが可能な取付具を備えることで、錘の追加装着と、追加した錘の脱着を可能とした構成としたものである。
【考案の効果】
【００１１】
本考案は、以上説明したように構成されているので、以下に示すような効果を奏する。
請求項１の考案においては、アッパーアームの先端に形成された略環状の連結環部と、前記連結環部に連結したスプリットリングに、前記スプリットリングを固定するための固定具を装着することで、連結環部と、スプリットリングとの連結で生じる可動領域を固定することができる。このようにして、前記可動領域が固定されると、アッパーアームの先端に形成された略環状の連結環部、スプリットリングと、ボールベアリングスイベルと、もう1つのスプリットリングとが、水の抵抗や、水流によってブレードの方向にすべて一直線に並ぶまでの時間が飛躍的に短くなるため、ブレードの回転立ち上がりを早くすることができる。
【００１２】
請求項２の考案においては、アッパーアームから分岐している前部アームの先端に形成された略環状の連結環部と、前記連結環部に連結したスプリットリングに、前記スプリットリングを固定するための固定具を装着することで、連結環部と、スプリットリングとの連結で生じる可動領域を固定することができる。このようにして、前記可動領域が固定されると、前部アームの先端に形成された略環状の連結環部、スプリットリングと、ボールベアリングスイベルと、もう1つのスプリットリングとが、水の抵抗や、水流によって前側ブレードの方向にすべて一直線に並ぶまでの時間が飛躍的に短くなるため、前側ブレードの回転立ち上がりを早くすることができる。
また、同様にアッパーアームから分岐している後部アームの先端に形成された略環状の連結環部と、前記連結環部に連結したスプリットリングに、前記スプリットリングを固定するための固定具を装着することで、連結環部と、スプリットリングとの連結で生じる可動領域を固定することができる。このようにして、前記可動領域が固定されると、後部アームの先端に形成された略環状の連結環部、スプリットリングと、ボールベアリングスイベルと、もう1つのスプリットリングとが、水の抵抗や、水流によって後側ブレードの方向にすべて一直線に並ぶまでの時間が飛躍的に短くなるため、後側ブレードの回転立ち上がりを早くすることができる。
【００１３】
請求項３の考案においては、ヘッド部分に錘を装着することが可能な取付具を備えているため、錘の追加装着が可能となり、沈下速度を速めたり、水中におけるスピナーベイトの姿勢を可変したりすることができる。また、前記錘の脱着も可能な構成としているため、本考案におけるスピナーベイトを元の状態に戻すことも容易に行うことができる。
【図面の簡単な説明】
【００１４】
【図１】本考案の実施の形態１における構成を示した図である。
【図２】本考案の実施の形態１における連結状態を拡大した図である。
【図３】本考案の実施の形態２における構成を示した図である。
【図４】本考案の実施の形態３における構成を示した図である。
【図５】本考案の実施の形態３における構成を示した図である。
【図６】従来例を示した図である。
【図７】従来例におけるブレード連結状態を示した図である。
【考案を実施するための形態】
【００１５】
（実施の形態１）
図１は、本考案の実施の形態１のスピナーベイトＸ１を示した図である。図１において、１は、ワイヤーにより形成されるロアアーム、２は、ワイヤーにより形成されるアッパーアーム、３は、ワイヤーにより形成される釣り糸を結合するためのラインアイ、４は、前記ロアアーム１の先端に取り付けられ、後部にスカートを保持するための溝１３と釣り針１１を有するヘッド部、５は、アッパーアーム２の先端に形成された略環状の連結環部、６は、ボールベアリングスイベル、７は、金属製の板状のブレード、８は、前記連結環部５とボールベアリングスイベル６が連結されたスプリットリング、９は、ボールベアリングスイベル６とブレード７が連結されたスプリットリング、１０は、連結環部５とスプリットリング８の可動領域を固定するための固定具、１１はヘッド部４に装着された釣り針、１２は、トレーラーと称するワーム等を保持するためのトレーラー保持部、１３は、ラバー素材やシリコン素材で形成されたスカート等を固定するための溝、を示す。
【００１６】
図６に示した従来のスピナーベイト１００におけるアッパーアーム１０２と、後側ブレード１０８の連結方法を用いて、スピナーベイト１００を水中で泳がす操作を行うと、水の抵抗や水流によって、アッパーアーム１０２の先端に形成された略環状の連結環部１１０と、スプリットリング１１１と、ボールベアリングスイベル１０９と、スプリットリング１１２と、回転する後側ブレード１０８が一直線に並ぶまでの間、後側ブレード１０８は、不規則に回転することはあっても、水の抵抗や水流による安定した回転運動を行うことはない。つまり、連結環部１１０と、スプリットリング１１１と、ボールベアリングスイベル１０９と、スプリットリング１１２と、回転する後側ブレード１０８の連結において、それぞれの連結部分に可動領域（あそび）があるため、水の抵抗や水流によって、上記それぞれの連結部分に可動領域が、後側ブレード１０８に向かって一直線に並ぼうとするまでの間、後側ブレード１０８が、水の抵抗や水流によって、安定した回転運動を行うことはない。ここで、水の抵抗や水流を受けにくいスピナーベイトの沈下中や、スピナーベイトを泳がす操作の初期段階といった、スピナーベイトの水中姿勢が安定していない時は、従来のスピナーベイト１００では、連結環部１１０と、スプリットリング１１１と、ボールベアリングスイベル１０９と、スプリットリング１１２と、回転する後側ブレード１０８が一直線に並んでいないため、後側ブレード１０８の回転が立ち上がりにくいという問題があった。また、図６における前側ブレード１０７は、その取り付け構造上、ボールベアリングスイベルを介さないため、特にスピナーベイトを水中で泳がす操作をした際の回転立ち上がりが遅い。
【００１７】
次に、図１における、固定具１０の働きについて説明する。固定具１０は、例えばシリコン樹脂や硬質のプラスチックといった素材を用いて、連結環部５と、スプリットリング８の連結による可動領域を固定する。例えば、熱収縮チューブのように、収縮性のある素材で、かつ、連結環部５と、スプリットリング８が固定具１０に覆われるように装着することが望ましい。ここで固定具１０を連結環部５と、スプリットリング８の中央部分まで覆うように装着すると、上記稼働領域は、ある程度、揺動可能ではあるものの、ほぼ固定することが可能となる。また、固定具１０を硬質プラスチックのように硬い素材を用いて、連結環部５と、スプリットリング８を覆うように装着すると、上記稼働領域を完全に固定することができる。図２は、図１における、連結環部５と、スプリットリング８と、ボールベアリングスイベル６と、スプリットリング９と、回転するブレード７の連結状態と、固定具１０の装着例を拡大した図であり、符号は図１とすべて同じである。図２において、固定具１０が、連結環部５と、スプリットリング８の可動領域を固定すると、特に水中において、連結環部５と、スプリットリング８と、ボールベアリングスイベル６と、スプリットリング９と、回転するブレード７が一直線に並ぶ時の可動領域が減ることになるため、必然的に一直線に並びやすく、また一直線に並ぶまでの時間短縮が可能となる。その結果、ブレード７の回転立ち上がりが飛躍的に速くすることができる。そのため、釣りの動作としてのキャスト直後にスピナーベイトＸ１が着水し、沈下を始めた瞬間から、ブレード７は回転をはじめ、スピナーベイトＸ１全体の振動や、フラッシング効果を得ることができる。また、釣りの動作としてリールを巻き始めた直後から、ブレード７は回転をはじめ、スピナーベイトＸ１全体の振動や、フラッシング効果を得ることができる。
【００１８】
さらに、本考案のスピナーベイトＸ１を任意の水深まで沈めた後にリールを巻き始めた時や、水中の藻に引っかかり、竿の操作によって、藻から外れた直後といったスピナーベイトＸ１の水中姿勢が安定していない状況下においても、同様にブレード７の回転立ち上がりが早いため、スピナーベイトＸ１全体の振動や、フラッシング効果を得るまでの時間を極めて早くすることができる。また、上述したように、固定具１０が、連結環部５と、スプリットリング８の可動領域を固定しているため、キャスト時の空気抵抗によって、可動領域が振られたり、暴れることなく、安定した空中姿勢を得ることができるため、飛距離を向上させることができる。さらにまた、固定具１０は、連結環部５と、スプリットリング８を固定する一方、スプリットリング８の可動領域を制限し、さらに連結部分を保護する役目を持つため、水中において上記連結部分に藻やごみが絡むことを防ぐ効果を得ることができる。
【００１９】
（実施の形態２）
図３は、本考案の実施の形態２のスピナーベイトＸ２を示した図である。図３において、１は、ワイヤーにより形成されるロアアーム、２は、ワイヤーにより形成されるアッパーアーム、３は、ワイヤーにより形成される釣り糸を結合するためのラインアイ、４は、前記ロアアームの先端に取り付けられ、後部にスカートを保持するための溝１３とトレーラー保持部１２と釣り針１１を有するヘッド部、５は、アッパーアーム２の先端に形成された略環状の連結環部、６は、ボールベアリングスイベル、７は、金属製の板状のブレード、８は、前記連結環部５とボールベアリングスイベル６が連結されたスプリットリング、９は、ボールベアリングスイベル６とブレード７が連結されたスプリットリング、１０は、連結環部５とスプリットリング８の可動領域を固定するための固定具、１１はヘッド部４に装着された釣り針、１２は、トレーラーと称するワーム等を保持するためのトレーラー保持部、１３は、ラバー素材やシリコン素材で形成されたスカート等を固定するための溝、１４は、アッパーアーム２から分岐している前部アーム、１５は、アッパーアーム２から分岐している後部アーム、１６は、前部アーム１４の先端に形成された略環状の連結環部、１７は、ボールベアリングスイベル、１８は、金属製の板状のブレード、１９は、前記連結環部１６とボールベアリングスイベル１７が連結されたスプリットリング、２０は、ボールベアリングスイベル１７とブレード１８が連結されたスプリットリング、２１は連結環部１６とスプリットリング１９の可動領域を固定するための固定具を示す。
【００２０】
次に、図３における、固定具１０の働きは、実施の形態１と同じである。固定具２１の働きについて説明すると、固定具２１は、固定具１０と同様に、例えばシリコン樹脂や硬質のプラスチックといった素材を用いて、前部アームの連結環部１６と、スプリットリング１９の連結による可動領域を固定する。図３において、上述したように、連結環部１６と、スプリットリング１９の可動領域が固定されると、特に水中において、連結環部１６と、スプリットリング１９と、ボールベアリングスイベル１７と、スプリットリング２０と、回転するブレード１８が一直線に並ぶ時の可動領域が減ることになるため、必然的に一直線に並びやすく、また一直線に並ぶまでの時間短縮が可能となる。その結果、ブレード１８の回転立ち上がりが飛躍的に速くすることができる。そのため、釣りの動作としてのキャスト直後にスピナーベイトＸ２が着水し、沈下を始めた瞬間から、ブレード１８は回転をはじめ、スピナーベイトＸ２全体の振動や、フラッシング効果を得ることができる。また、釣りの動作としてリールを巻き始めた直後から、ブレード１８は回転をはじめ、スピナーベイトＸ２全体の振動や、フラッシング効果を得ることができる。
【００２１】
さらに、本考案のスピナーベイトＸ２を任意の水深まで沈めた後にリールを巻き始めた時や、水中の藻に引っかかり、竿の操作によって、藻から外れた直後といったスピナーベイトＸ２の水中姿勢が安定していない状況下においても、同様にブレード１８の回転立ち上がりが早いため、スピナーベイトＸ２全体の振動や、フラッシング効果を得るまでの時間を極めて早くすることができる。また、上述したように、固定具２１が、連結環部１６と、スプリットリング１９の可動領域を固定しているため、キャスト時の空気抵抗によって、可動領域が振られたり、暴れることなく、安定した空中姿勢を得ることができるため、飛距離を向上させることができる。さらにまた、固定具２１は、連結環部１６と、スプリットリング１９を固定する一方、スプリットリング１９の可動領域を制限し、さらに連結部分を保護する役目を持つため、水中において上記連結部分に藻やごみが絡むことを防ぐ効果を得ることができる。
【００２２】
以上のように構成することで、図６の従来例で示したタンデムタイプのスピナーベイト１００と比較して、本考案の実施の形態２で示したスピナーベイトＸ２の前側のブレード１８と後側のブレード７は、ともに回転立ち上がりが早く、かつ、安定した空中姿勢を得ることができ、固定具２１と、固定具１０とによって、水中において藻やごみが絡むことを飛躍的に防ぐ効果を得ることができる。
【００２３】
（実施の形態３）
図４は、本考案の実施の形態３のスピナーベイトＸ３を示した図である。図４において、１から１３は、図１と同じである。２２は、ヘッド部４に設けられた、錘を装着することが可能な取付具を示す。図５は、取付具２２に錘を装着した時の状態を示した図で、図５において、１から１３、２２は、図４と同じである。２３は、取付具２２に装着した錘、２３Ｂは、取付具２２から脱着した錘の例を示す。次に取付具２２の働きについて説明すると、取付具２２は、図５に示すように錘２３を装着することで、ヘッド部４の重さを任意に増やすことが可能となる。ここで、錘２３を装着してヘッド部４の重さを重くした場合、本考案のスピナーベイトＸ３全体の質量が重くなるため、水中での沈下速度が速くなり、水底までの到達時間が短くなる。一般的に、ヘッド部４の質量が大きい従来のスピナーベイトは、スピナーベイト全体のサイズが大きくなる傾向があり、それにともなってスピナーベイトを構成するワイヤーが長かったり、見栄えのバランスをとるために、大きなブレードを装着することが多いため、水の抵抗が受けやすく、釣りの動作において、リールを巻くことでスピナーベイトを引いて泳がせる場合、上記水の抵抗によって、ブレードが大きな揚力は発生することとなり、サイズが小さなスピナーベイトと比較して、水面方向に浮き上がりやすく、一定の層を引きつづけて泳がせることが非常に困難であるという問題点があった。
【００２４】
本考案のスピナーベイトＸ３は、ヘッド部４に設けられた取付具２２に、錘２３を装着することで、ヘッド部４の質量を任意に増やすことと同等のことが実現できるため、本考案のスピナーベイトＸ３のサイズや、ブレードの大きさを変えることなく、質量を重くすることが可能となるため、深い水深において、一定の層を引きつづけて泳がせたり、リールを巻く速度を早くしても、上述した浮き上がりを抑制することが可能となる。また、図５に示したように、ヘッド部４に装着する錘２３を、脱着することが容易なタイプとすることで、簡単に元の状態に戻すことができる。
【産業上の利用可能性】
【００２５】
本考案は、アームに金属製のブレードが回転可能に連結されたスピナーベイトに適用可能である。
【符号の説明】
【００２６】
１  ロアアーム
２  ロアアーム
３  ラインアイ
４  ヘッド部
５  連結環部
６  ボールベアリングスイベル
７  ブレード
８  スプリットリング
９  スプリットリング
１０  固定具
１１  釣り針
１２  トレーラー保持部
１３  スカート等を固定するための溝
１４  前部アーム
１５  後部アーム
１６  連結環部
１７  ボールベアリングスイベル
１８  ブレード
１９  スプリットリング
２０  スプリットリング
２１  固定具
２２  取付具
２３  錘
２３Ｂ  錘
【図１】
0003217526.tif 000003
【図２】
0003217526.tif 000004
【図３】
0003217526.tif 000005
【図４】
0003217526.tif 000006
【図５】
0003217526.tif 000007
【図６】
0003217526.tif 000008
【図７】
0003217526.tif 000009